(57)【要約】【課題】  成形加工性に優れた部材を主要構造材にすることが可能な建築用パネルの接続構造を提供する。【解決手段】  水平に配置される建築用パネル（床パネル１０，天井パネル４０）と垂直に配置される建築用パネル（桁側壁パネル２０，妻側壁パネル３０）との接続構造であって、建築用パネルは、一対の枠材に面材が取り付けられて構成され、少なくとも１つの枠材は、Ｚ形鋼１１，２１，３１，４１で形成され、水平に配置される建築用パネルの上側フランジ部１１ａ，４１ａと下側フランジ部１１ｃ，４１ｃとが、垂直に配置される建築用パネルの上側フランジ部２１ａ，３１ａと下側フランジ部２１ｃ，３１ｃとにそれぞれ当接した状態で、Ｚ形鋼を重ね合わす。【選択図】図８
2019127771.tif 000002
【特許請求の範囲】
【請求項１】
水平に配置される建築用パネルと垂直に配置される建築用パネルとの接続構造であって、
前記建築用パネルは、一対の枠材に面材が取り付けられて構成され、
少なくとも１つの前記枠材は、
ウェブ部と、
前記ウェブ部の上端から直角に突出した上側フランジ部と、
前記ウェブ部の下端から直角に前記上側フランジ部とは反対方向に向けて突出した下側フランジ部と、からなるＺ形鋼で形成され、
水平に配置される前記建築用パネルの前記上側フランジ部と前記下側フランジ部とが、垂直に配置される前記建築用パネルの前記上側フランジ部と前記下側フランジ部とにそれぞれ当接した状態で、前記Ｚ形鋼を重ね合わす
ことを特徴とする建築用パネルの接続構造。
【請求項２】
水平に配置される前記建築用パネルの前記ウェブ部と垂直に配置される前記建築用パネルの前記ウェブ部とが、離間した状態で、前記Ｚ形鋼を重ね合わす
ことを特徴とする、請求項１に記載の建築用パネルの接続構造。
【請求項３】
請求項１又は２に記載の建築用パネルの接続構造を有する建物ユニットから構築されるユニット建物であって、
前記建物ユニットは、前記重ね合わされたＺ形鋼の前記下側フランジ部を介して、基礎に固定される
ことを特徴とするユニット建物。
【請求項４】
上階の前記建物ユニットは、上階の前記建物ユニットの前記重ね合わされたＺ形鋼の前記下側フランジ部と、下階の前記建物ユニットの前記重ね合わされたＺ形鋼の前記上側フランジ部と、を重ね合わせて、下階の前記建物ユニットに固定される
ことを特徴とする、請求項３に記載のユニット建物。
【発明の詳細な説明】
【技術分野】
【０００１】
本発明は、水平に配置される建築用パネルと垂直に配置される建築用パネルとの接続構造、及びユニット建物に関するものである。
【背景技術】
【０００２】
従来、建築物の梁として、建物ユニットの外側に対して凹状をなすＬ型部と上部に対して平坦な平坦部とからなる略Ｚ型断面材にて構成されている天井梁が知られている（例えば、特許文献１参照）。
【先行技術文献】
【特許文献】
【０００３】
【特許文献１】特許第３２０７２７６号公報
【発明の概要】
【発明が解決しようとする課題】
【０００４】
しかしながら、特許文献１に記載の略Ｚ型断面材にて構成されている天井梁は、主要構造材であり、ある程度の厚みを有して形成される必要があるため、成形加工性が低下する、という問題がある。
【０００５】
そこで、本発明は、成形加工性に優れた部材を主要構造材にすることが可能な建築用パネルの接続構造を提供することを目的としている。
【課題を解決するための手段】
【０００６】
前記目的を達成するために、本発明の建築用パネルの接続構造は、水平に配置される建築用パネルと垂直に配置される建築用パネルとの接続構造であって、前記建築用パネルは、一対の枠材に面材が取り付けられて構成され、少なくとも１つの前記枠材は、ウェブ部と、前記ウェブ部の上端から直角に突出した上側フランジ部と、前記ウェブ部の下端から直角に前記上側フランジ部とは反対方向に向けて突出した下側フランジ部と、からなるＺ形鋼で形成され、水平に配置される前記建築用パネルの前記上側フランジ部と前記下側フランジ部とが、垂直に配置される前記建築用パネルの前記上側フランジ部と前記下側フランジ部とにそれぞれ当接した状態で、前記Ｚ形鋼を重ね合わすことを特徴とする。
【０００７】
ここで、本発明の建築用パネルの接続構造は、水平に配置される前記建築用パネルの前記ウェブ部と垂直に配置される前記建築用パネルの前記ウェブ部とが、離間した状態で、前記Ｚ形鋼を重ね合わせても良い。
【０００８】
また、上記した本発明の建築用パネルの接続構造を備える建物ユニットでは、前記建物ユニットは、前記重ね合わされたＺ形鋼の前記下側フランジ部を介して、基礎に固定されても良い。
【０００９】
また、上記した本発明の建築用パネルの接続構造を備える建物ユニットでは、上階の前記建物ユニットは、上階の前記建物ユニットの前記重ね合わされたＺ形鋼の前記下側フランジ部と、下階の前記建物ユニットの前記重ね合わされたＺ形鋼の前記上側フランジ部と、を重ね合わせて、下階の前記建物ユニットに固定されても良い。
【発明の効果】
【００１０】
このように構成された本発明の建築用パネルの接続構造では、単体の建築用パネルにおいては、Ｚ形鋼を建築用パネルの枠材として機能させると共に、水平に配置される建築用パネルと、垂直に配置される建築用パネルとを接続した状態では、２つのＺ形鋼を重ね合わせて梁材として機能させることができる。そのため、主要構造材としての梁材を、成形加工性に優れた板厚を薄くしたＺ形鋼によって形成することができる。
【００１１】
また、本発明の建築用パネルの接続構造では、水平に配置される前記建築用パネルの前記ウェブ部と垂直に配置される前記建築用パネルの前記ウェブ部とが、離間した状態で、前記Ｚ形鋼を重ね合わせることで、重ね合わせられた２つのＺ形鋼の断面２次モーメントを向上させることができ、主要構造材としての梁材としての機能を向上させることができる。
【００１２】
また、上記した建築用パネルの接続構造を備える建物ユニットでは、前記建物ユニットは、前記重ね合わされたＺ形鋼の前記下側フランジ部を介して、基礎に固定されることで、建築用パネルの枠材を使用して、建物ユニットを基礎に固定することができ、簡易な構成でユニット建物を構築することができる。
【００１３】
また、上記した建築用パネルの接続構造を備える建物ユニットでは、上階の前記建物ユニットは、上階の前記建物ユニットの前記重ね合わされたＺ形鋼の前記下側フランジ部と、下階の前記建物ユニットの前記重ね合わされたＺ形鋼の前記上側フランジ部と、を重ね合わせて、下階の前記建物ユニットに固定されることで、建築用パネルの枠材を使用して、上階の建物ユニットを下階の建物ユニットに固定することができ、簡易な構成でユニット建物を構築することができる。
【図面の簡単な説明】
【００１４】
【図１】実施例１のユニット建物の構成を示す構成図である。
【図２】実施例１の建物ユニットを示す分解斜視図である。
【図３】Ｚ形鋼の構成を説明する斜視図である。
【図４】実施例１の床パネルへのＺ形鋼の取付構造を示す断面図である。
【図５】実施例１の桁側壁パネルへのＺ形鋼の取付構造を示す断面図である。
【図６】実施例１の妻側壁パネルへのＺ形鋼の取付構造を示す断面図である。
【図７】実施例１の天井パネルへのＺ形鋼の取付構造を示す断面図である。
【図８】実施例１の床パネルと桁側壁パネルとの接続構造を説明する断面図である。
【図９】実施例１の桁側壁パネルと天井パネルとの接続構造を説明する断面図である。
【図１０】実施例１の桁側壁パネルと妻側壁パネルとの接続構造を説明する斜視図である。
【図１１】実施例１の建物ユニットの組立手順を説明する説明図である。
【図１２】実施例１の建物ユニットの組立手順を説明する説明図である。
【図１３】実施例１の建物ユニットの組立手順を説明する説明図である。
【図１４】実施例１のユニット建物の構築を説明する断面図である。
【図１５】実施例１のユニット建物の構築を説明する断面図である。
【発明を実施するための形態】
【００１５】
以下、本開示による建築用パネルの接続構造及びユニット建物を実現する実施形態を、図面に示す実施例１に基づいて説明する。
【実施例１】
【００１６】
まず、構成を説明する。
実施例１における建築用パネルの接続構造及びユニット建物は、工場で予め製造された建物ユニットを建築現場へ搬送して、建築現場で複数の建物ユニットを並べて組み立てることによって構築するユニット建物に適用される。
【００１７】
［ユニット建物の構成］
図１は、実施例１のユニット建物の構成を示す構成図である。以下、図１に基づいて、実施例１のユニット建物の構成を説明する。
【００１８】
ユニット建物１は、基礎２の上に下階の建物ユニット３が複数設置され、下階の建物ユニット３の上に上階の建物ユニット４が複数設置された多階構造のものとなっている。なお、下階の建物ユニット３と、上階の建物ユニット４とは、同様の構成であるため、下階の建物ユニット３ついて説明し、上階の建物ユニット４について説明を適宜省略する。
【００１９】
［建物ユニットの構成］
図２は、実施例１の建物ユニットを示す分解斜視図である。以下、図１及び図２に基づいて、実施例１の建物ユニットの構成を説明する。
【００２０】
建物ユニット３は、水平に配置される建築用パネルとしての床パネル１０と、垂直に配置される建築用パネルとしての桁側壁パネル２０と、垂直に配置される建築用パネルとしての妻側壁パネル３０と、水平に配置される建築用パネルとしての天井パネル４０と、から構成される。
【００２１】
床パネル１０は、梁材としての一対のＺ形鋼１１と、Ｚ形鋼１１間に架け渡された床小梁１２と、床小梁１２に取り付けられた面材としての床面材１３と、から形成される。
【００２２】
Ｚ形鋼１１は、対向する長辺側（桁側）の枠材として設けられる。Ｚ形鋼１１は、Ｚ形鋼１１の長手方向の垂直断面からみて、略Ｚ形状の鋼材から形成される。対向するＺ形鋼１１は、鏡面対称に配置される。Ｚ形鋼１１の間には、角型鋼管で形成された複数本の床小梁１２が略平行に略等間隔で架け渡される。床小梁１２の上には、セメントボード等から成る床面材１３が取り付けられる。
【００２３】
桁側壁パネル２０は、梁材としての一対のＺ形鋼２１と、Ｚ形鋼２１間に架け渡された間柱２２と、間柱２２に取り付けられた面材としての内壁面材２３と、間柱２２に取り付けられた面材としての外壁面材２４と、から形成される。
【００２４】
Ｚ形鋼２１は、対向する上下側に枠材として設けられる。Ｚ形鋼２１は、Ｚ形鋼２１の長手方向の垂直断面からみて、略Ｚ形状の鋼材から形成される。対向するＺ形鋼２１は、鏡面対称に配置される。Ｚ形鋼２１の間には、角型鋼管で形成された複数本の間柱２２が略平行に略等間隔で架け渡される。間柱２２の内側の側面には、石膏ボード等から成る内壁面材２３が取り付けられる。間柱２２の外側の側面には、サイディングボード等から成る外壁面材２４が取り付けられる。
【００２５】
妻側壁パネル３０は、梁材としての一対のＺ形鋼３１と、Ｚ形鋼３１間に架け渡された間柱３３と、間柱３３に取り付けられた面材としての内壁面材３４と、間柱３３に取り付けられた面材としての外壁面材３５と、から形成される。
【００２６】
Ｚ形鋼３１は、対向する上下側に枠材として設けられる。Ｚ形鋼３１は、Ｚ形鋼３１の長手方向の垂直断面からみて、略Ｚ形状の鋼材から形成される。対向するＺ形鋼３１は、鏡面対称に配置される。Ｚ形鋼３１の長手方向両端部には、矩形の板状の鋼材からなるエンドプレート３２が溶接などにより取り付けられる。Ｚ形鋼３１の間には、角型鋼管で形成された複数本の間柱３３が略平行に略等間隔で架け渡される。間柱３３の内側の側面には、石膏ボード等から成る内壁面材３４が取り付けられる。間柱２２の外側の側面には、サイディングボード等から成る外壁面材３５が取り付けられる。
【００２７】
天井パネル４０は、梁材としての一対のＺ形鋼４１と、Ｚ形鋼４１間に架け渡された天井小梁４２と、天井小梁４２に野縁を介して取り付けられた面材としての天井面材４３と、から形成される。
【００２８】
Ｚ形鋼４１は、対向する長辺側（桁側）に枠材として設けられる。Ｚ形鋼４１は、Ｚ形鋼４１の長手方向の垂直断面からみて、略Ｚ形状の鋼材から形成される。対向するＺ形鋼４１は、鏡面対称に配置される。Ｚ形鋼４１の間には、角型鋼管で形成された複数本の天井小梁４２が略平行に略等間隔で架け渡される。天井小梁４２の下には、石膏ボード等から成る天井面材４３が野縁を介して取り付けられる。
【００２９】
［Ｚ形鋼の構成］
図３は、Ｚ形鋼の構成を説明する斜視図である。以下、図３に基づいて、実施例１のＺ形鋼の構成を説明する。なお、Ｚ形鋼１１，２１，３１，４１は、それぞれ同様の構成であるため、Ｚ形鋼１１ついて説明し、Ｚ形鋼２１，３１，４１について説明を省略する。
【００３０】
Ｚ形鋼１１は、例えば、厚さ２．３ｍｍの鋼材で長尺状に形成される。Ｚ形鋼１１は、長尺状のウェブ部１１ｂと、ウェブ部１１ｂの上端から直角に突出した上側フランジ部１１ａと、ウェブ部１１ｂの下端から直角に上側フランジ部１１ａとは反対方向に向けて突出した下側フランジ部１１ｃと、からなるＺ形状で形成される。すなわち、Ｚ形鋼１１は、Ｚ形鋼１１の長手方向に垂直な断面でＺ形を形成する。
【００３１】
これにより、Ｚ形鋼１１，２１，３１，４１を運搬する際に、Ｚ形鋼１１，２１，３１，４１を重ねることができる。そのため、運搬時の荷姿を小さくすることができる。また、床パネル１０，桁側壁パネル２０，妻側壁パネル３０，天井パネル４０のＺ形鋼１１，２１，３１，４１を共通化することができる。そのため、製造コストの削減をはかることができる。
【００３２】
［Ｚ形鋼の取付構造］
図４は、実施例１の床パネルへのＺ形鋼の取付構造を示す断面図である。図５は、実施例１の桁側壁パネルへのＺ形鋼の取付構造を示す断面図である。図６は、実施例１の妻側壁パネルへのＺ形鋼の取付構造を示す断面図である。図７は、実施例１の天井パネルへのＺ形鋼の取付構造を示す断面図である。以下、図４〜図７に基づいて、実施例１のＺ形鋼の取付構造について説明する。
【００３３】
床パネル１０のＺ形鋼１１は、図４に示すように、ウェブ部１１ｂを、床小梁１２の先端に当接させ、溶接によって固定される。床小梁１２は、床小梁１２の両端部の上面が、下方に凹んだ凹部１２ａを有する。上側フランジ部１１ａは、床小梁１２の凹部１２ａと、床面材１３との間に配置される。上側フランジ部１１ａと、床面材１３との間には、桁側壁パネル２０の下枠側のＺ形鋼２１の上側フランジ部２１ａが挿入可能な程度の間隙Ｄを有する。下側フランジ部１１ｃは、床小梁１２の長手方向に突出するように配置される。Ｚ形鋼１１は、対向する長辺側（桁側）に設けられるが、互いに鏡面対称に設けられる。
【００３４】
桁側壁パネル２０の下枠側のＺ形鋼２１は、図５に示すように、ウェブ部２１ｂを、内壁面材２３が取り付けられた間柱２２の面に当接させ、支圧板９２を介して複数（実施例１では、３つ）のビスなどの締結具９１によって固定される。上側フランジ部２１ａは、桁側壁パネル２０の厚み方向で、内壁面材２３側から突出するように配置される。下側フランジ部２１ｃは、間柱２２の端部の下方に配置される。桁側壁パネル２０の上枠側のＺ形鋼２１は、下枠側のＺ形鋼２１に鏡面対称に設けられる。
【００３５】
妻側壁パネル３０の下枠側のＺ形鋼３１、図６に示すように、ウェブ部３１ｂを、内壁面材３４が取り付けられた間柱３３の面に当接させ、支圧板９２を介して複数（実施例１では、３つ）のビスなどの締結具９１によって固定される。上側フランジ部３１ａは、妻側壁パネル３０の厚み方向で、内壁面材３４側から突出するように配置される。下側フランジ部３１ｃは、間柱３３の端部の下方に配置される。
【００３６】
Ｚ形鋼３１の長手方向の両端には、エンドプレート３２が溶接によって取り付けられる。エンドプレート３２は、矩形の板状の鋼材で形成される。エンドプレート３２の外形は、Ｚ形鋼３１の外縁からはみ出さない大きさに形成され、Ｚ形鋼３１の両端部を塞ぐように配置される。エンドプレート３２の上側フランジ部３１ａ側には、桁側壁パネル２０を取り付けるためのプレート穴３２ａが複数（実施例１では、２つ）形成される。妻側壁パネル３０の上枠側のＺ形鋼３１は、下枠側のＺ形鋼３１に鏡面対称に設けられる。
【００３７】
天井パネル４０のＺ形鋼４１は、図７に示すように、ウェブ部４１ｂを、天井小梁４２の先端に当接させ、溶接によって固定される。上側フランジ部４１ａは、天井小梁４２の長手方向に突出するように配置される。下側フランジ部４１ｃは、天井小梁４２の下面と、天井面材４３との間に配置される。なお、図７では、下側フランジ部４１ｃの下方に、天井面材を有していないが、建物ユニット３を組み立てた後に、天井面材を取り付けるものとする。下側フランジ部４１ｃと、天井面材４３との間には、桁側壁パネル２０の上枠側のＺ形鋼２１の下側フランジ部２１ｃが挿入可能な程度の間隙Ｅを有する。Ｚ形鋼４１は、対向する長辺側（桁側）に設けられるが、互いに鏡面対称に設けられる。
【００３８】
［建築用パネルの接続構造］
図８は、実施例１の床パネルと桁側壁パネルとの接続構造を説明する断面図である。図９は、実施例１の桁側壁パネルと天井パネルとの接続構造を説明する断面図である。図１０は、実施例１の桁側壁パネルと妻側壁パネルとの接続構造を説明する斜視図である。以下、図８〜図１０に基づいて、実施例１の建築用パネルの接続構造について説明する。
【００３９】
床パネル１０と桁側壁パネル２０とを接続する際は、図８に示すように、床パネル１０のＺ形鋼１１の上側フランジ部１１ａと、桁側壁パネル２０の下枠側のＺ形鋼２１の上側フランジ部２１ａと、を当接させ、かつ、床パネル１０のＺ形鋼１１の下側フランジ部１１ｃと、桁側壁パネル２０の下枠側のＺ形鋼２１の下側フランジ部２１ｃと、を当接させて、床パネル１０のＺ形鋼１１と、桁側壁パネル２０のＺ形鋼２１とを重ね合わせるように配置する。
【００４０】
この際、床パネル１０のＺ形鋼１１のウェブ部１１ｂと、桁側壁パネル２０の下枠側のＺ形鋼２１のウェブ部２１ｂとは、長さＮ（実施例１では、１０ｍｍ）の間隙を有するようにする。
【００４１】
このように、床パネル１０のＺ形鋼１１と、桁側壁パネル２０のＺ形鋼２１とを重ね合わすことで、梁（Ｚ梁）を構成する。
【００４２】
床パネル１０のＺ形鋼１１と、桁側壁パネル２０のＺ形鋼２１とは、アンカーボルト８（図１４参照）や連結ボルト９（図１５参照）などによって固定される。
【００４３】
このように配置された状態で、床パネル１０の床面材１３の上方から下方に向かって、ビスなどの締結具９３を打込むことで、桁側壁パネル２０を床パネル１０に取り付ける。
【００４４】
天井パネル４０と桁側壁パネル２０とを接続する際は、図９に示すように、天井パネル４０のＺ形鋼４１の上側フランジ部４１ａと、桁側壁パネル２０の上枠側のＺ形鋼２１の上側フランジ部２１ａと、を当接させ、かつ、天井パネル４０のＺ形鋼４１の下側フランジ部４１ｃと、桁側壁パネル２０の上枠側のＺ形鋼２１の下側フランジ部２１ｃと、を当接させて、天井パネル４０のＺ形鋼４１と、桁側壁パネル２０のＺ形鋼２１とを重ね合わせるように配置する。
【００４５】
この際、天井パネル４０のＺ形鋼４１のウェブ部４１ｂと、桁側壁パネル２０の上枠側のＺ形鋼２１のウェブ部２１ｂとは、長さＮ（実施例１では、１０ｍｍ）の間隙を有するようにする。
【００４６】
このように、天井パネル４０のＺ形鋼４１と、桁側壁パネル２０のＺ形鋼２１とを重ね合わすことで、梁（Ｚ梁）を構成する。
【００４７】
なお、天井パネル４０のＺ形鋼４１と、桁側壁パネル２０のＺ形鋼２１とは、連結ボルト９（図１５参照）などによって固定される。
【００４８】
妻側壁パネル３０と桁側壁パネル２０とは、図１０に示すように、妻側壁パネル３０のエンドプレート３２と、桁側壁パネル２０のＺ形鋼２１のウェブ部２１ｂと、を当接させた状態で、２つのボルト９４ａを、プレート穴３２ａと、ウェブ部２１ｂに設けられたウェブ穴とに挿通して、ナット９４ｂで固定することで、妻側壁パネル３０と桁側壁パネル２０とを接続する。
【００４９】
［建物ユニットの組立手順］
図１１〜図１３は、実施例１の建物ユニットの組立手順を説明する説明図である。以下、図１１〜図１３に基づいて、実施例１の建物ユニットの組立手順について説明する。
【００５０】
建物ユニット３は、「壁パネル設置工程」と、「付属設備取付工程」と、「天井パネル取付工程」と、を経て組み立てられる。建物ユニット３は、工場内で組み立てられる。
【００５１】
（壁パネル設置工程）
壁パネル設置工程では、図１１に示すように、床パネル１０に対して、桁側壁パネル２０と、妻側壁パネル３０と、が取り付けられる。
【００５２】
この際、桁側壁パネル２０を水平方向に移動し、桁側壁パネル２０の下枠側のＺ形鋼２１の上側フランジ部２１ａを、床パネル１０のＺ形鋼１１と床面材１３との間に形成された間隙Ｄに挿入して、桁側壁パネル２０の下枠側のＺ形鋼２１を床パネル１０のＺ形鋼１１に重ねるようにして、桁側壁パネル２０を床パネル１０に設置する。また、妻側壁パネル３０を水平方向に移動し、妻側壁パネル３０のエンドプレート３２を、床パネル１０に取り付けられた桁側壁パネル２０のＺ形鋼２１のウェブ部２１ｂに重ねるようにして、妻側壁パネル３０を桁側壁パネル２０及び床パネル１０に設置する。
【００５３】
（付属設備取付工程）
付属設備取付工程では、図１２に示すように、床パネル１０上に、フローリングなどの床内装材５を敷き、間仕切り７等の付属設備を取り付ける。
【００５４】
（天井パネル取付工程）
天井パネル取付工程では、図１３に示すように、天井パネル４０が、桁側壁パネル２０の上端と、妻側壁パネル３０の上端と、に取り付けられ、クロスや壁紙等の化粧材が貼り付けられる。
【００５５】
この際、天井パネル４０を、垂直下方に移動し、天井パネル４０のＺ形鋼４１を、桁側壁パネル２０の上枠側のＺ形鋼２１と、妻側壁パネル３０の上枠側のＺ形鋼３１とに重ね合わせるようにして、天井パネル４０を、桁側壁パネル２０及び妻側壁パネル３０に設置する。
【００５６】
これにより、下階の建物ユニット３が組み立てられる。上階の建物ユニット４も、下階の建物ユニット３と同様に組み立てられる。下階の建物ユニット３と上階の建物ユニット４は、ユニット建物１の施工現場に搬送される。なお、建物ユニット３，４の各建築用パネル１０，２０，３０，４０間は、ビスやボルト等によって、仮固定されても良い。
［ユニット建物の構築］
【００５７】
図１４及び図１５は、実施例１のユニット建物の構築を説明する断面図である。以下、図１４及び図１５に基づいて、実施例１のユニット建物の構築について説明する。
【００５８】
下階の建物ユニット３は、図１４に示すように、クレーンなどの建設機械によって、基礎２の上に載置される。この際、基礎２の上面に、重ね合わされたＺ形鋼１１，２１の下側フランジ部１１ｃ，２１ｃを載置する。下側フランジ部１１ｃ，２１ｃには、基礎２に設けられたアンカーボルト８を挿通する挿通穴が形成されており、この挿通穴にアンカーボルト８が挿入され、ナットで固定される。このアンカーボルト８による固定によって、Ｚ形鋼１１，２１同士が一体化され、主要構造材としての梁を形成する。
【００５９】
これにより、床パネル１０のＺ形鋼１１の下側フランジ部１１ｃと、桁側壁パネル２０の下枠側のＺ形鋼２１の下側フランジ部２１ｃとは、基礎２に設けられたアンカーボルト８とナットによって固定され、下階の建物ユニット３は、基礎２の上に固定される。
【００６０】
上階の建物ユニット４は、図１５に示すように、クレーンなどの建設機械によって、建物ユニット３の上に載置される。この際、下階の建物ユニット３の重ね合わされたＺ形鋼２１，４１の上側フランジ部２１ａ，４１ａの上面に、上階の建物ユニット４の重ね合わされたＺ形鋼１１，２１の下側フランジ部１１ｃ，２１ｃを載置する。上側フランジ部２１ａ，４１ａと下側フランジ部１１ｃ，２１ｃには、連結ボルト９を挿通する挿通穴が形成されており、この挿通穴に連結ボルト９が挿入され、ナットで固定される。この連結ボルト９による固定によって、Ｚ形鋼２１，４１同士が一体化され、主要構造材としての梁を形成する。
【００６１】
これにより、下階の建物ユニット３の桁側壁パネル２０の上枠側のＺ形鋼２１の上側フランジ部２１ａと、下階の建物ユニット３の天井パネル４０のＺ形鋼４１の上側フランジ部４１ａと、上階の建物ユニット４の床パネル１０のＺ形鋼１１の下側フランジ部１１ｃと、上階の建物ユニット４の桁側壁パネル２０の下枠側のＺ形鋼２１の下側フランジ部２１ｃと、が連結ボルト９とナットによって固定されることで、上階の建物ユニット４が下階の建物ユニット３に固定される。
【００６２】
次に、実施例１の建築用パネルの接続構造及びユニット建物における作用効果を説明する。
【００６３】
実施例１の建築用パネルの接続構造では、水平に配置される建築用パネル（床パネル１０，天井パネル４０）と垂直に配置される建築用パネル（桁側壁パネル２０，妻側壁パネル３０）との接続構造であって、建築用パネル（床パネル１０，桁側壁パネル２０，妻側壁パネル３０，天井パネル４０）は、一対の枠材に面材（床面材１３，内壁面材２３，外壁面材２４，内壁面材３４，外壁面材３５，天井面材４３）が取り付けられて構成される。少なくとも１つの枠材は、ウェブ部１１ｂ，２１ｂ，３１ｂ，４１ｂと、ウェブ部１１ｂ，２１ｂ，３１ｂ，４１ｂの上端から直角に突出した上側フランジ部１１ａ，２１ａ，３１ａ，４１ａと、ウェブ部１１ｂ，２１ｂ，３１ｂ，４１ｂの下端から直角に上側フランジ部１１ａ，２１ａ，３１ａ，４１ａとは反対方向に向けて突出した下側フランジ部１１ｃ，２１ｃ，３１ｃ，４１ｃと、からなるＺ形鋼１１，２１，３１，４１で形成される。水平に配置される建築用パネル（床パネル１０，天井パネル４０）の上側フランジ部１１ａ，４１ａと下側フランジ部１１ｃ，４１ｃとが、垂直に配置される建築用パネル（桁側壁パネル２０，妻側壁パネル３０）の上側フランジ部２１ａ，３１ａと下側フランジ部２１ｃ，３１ｃとにそれぞれ当接した状態で、Ｚ形鋼１１，２１，３１，４１を重ね合わす（図８，図９）。
【００６４】
これにより、単体の建築用パネル（床パネル１０，桁側壁パネル２０，妻側壁パネル３０，天井パネル４０）においては、Ｚ形鋼１１，２１，３１，４１を建築用パネル（床パネル１０，桁側壁パネル２０，妻側壁パネル３０，天井パネル４０）の枠材として機能させることができる。また、水平に配置される建築用パネル（床パネル１０，天井パネル４０）と、垂直に配置される建築用パネル（桁側壁パネル２０，妻側壁パネル３０）とを接続した状態では、２つのＺ形鋼１１，２１，３１，４１を重ね合わせて、断面２次モーメントを向上させ、主要構造材としての梁材として機能させる。そのため、主要構造材としての梁材を、成形加工性に優れた板厚を薄くしたＺ形鋼によって形成することができる。
【００６５】
実施例１の建築用パネルの接続構造では、水平に配置される建築用パネル（床パネル１０，天井パネル４０）のウェブ部１１ｂ，４１ｂと垂直に配置される建築用パネル（桁側壁パネル２０，妻側壁パネル３０）のウェブ部２１ｂ，３１ｂとが、離間した状態で、Ｚ形鋼１１，２１，３１，４１を重ね合わす（図８，図９）。
【００６６】
これにより、重ね合わせられた２つのＺ形鋼１１，２１，３１，４１の断面２次モーメントを向上させることができる。そのため、主要構造材としての梁材としての機能を向上させることができる。
【００６７】
実施例１の建築用パネルの接続構造を有するユニット建物では、建物ユニットは、重ね合わされたＺ形鋼の下側フランジ部を介して、基礎に固定される（図１４）。
【００６８】
これにより、建築用パネル１０，２０の枠材を使用して、建物ユニット３を基礎２に固定することができる。その結果、簡易な構成でユニット建物１を構築することができる。
【００６９】
実施例１の建築用パネルの接続構造を有するユニット建物では、上階の建物ユニット４は、上階の建物ユニット４の重ね合わされたＺ形鋼１１，２１の下側フランジ部１１ｃ，２１ｃと、下階の建物ユニット３の重ね合わされたＺ形鋼２１，４１の上側フランジ部２１ａ，４１ａと、を重ね合わせて、下階の建物ユニット３に固定される（図１５）。
【００７０】
これにより、建築用パネル１０，２０，４０の枠材を使用して、上階の建物ユニット４を下階の建物ユニット３に固定することができる。その結果、簡易な構成でユニット建物１を構築することができる。
【００７１】
以上、本開示の建築用パネルの接続構造及びユニット建物を実施例１に基づき説明してきた。しかし、具体的な構成については、この実施例に限られるものではなく、特許請求の範囲の各請求項に係る発明の要旨を逸脱しない限り、各実施例の組み合わせ、設計の変更や追加等は許容される。
【００７２】
実施例１では、ウェブ部同士が離間した状態で、Ｚ形鋼を重ね合わす例を示した。しかし、ウェブ同士が接触した状態で、Ｚ形鋼を重ね合わしても良い。
【００７３】
実施例１では、Ｚ形鋼１１，２１，３１，４１を床パネル１０、桁側壁パネル２０、妻側壁パネル３０、天井パネル４０に使用する例を示した。しかし、Ｚ形鋼としては、屋根パネルなどの他の建築用パネルに使用することができる。
【００７４】
実施例１では、一対のＺ形鋼１１，２１，３１，４１を各建築用パネルに設ける例を示した。しかし、Ｚ形鋼としては、一対として設けなくても良い。
【００７５】
実施例１では、Ｚ形鋼１１，２１，３１，４１を２階建てのユニット建物に適用する例を示した。しかし、Ｚ形鋼としては、１階建てや３階建て以上のユニット建物に適用可能である。
【符号の説明】
【００７６】
１      ユニット建物
２      基礎
３      下階の建物ユニット（建物ユニットの一例）
４      上階の建物ユニット（建物ユニットの一例）
１０    床パネル（水平に設置される建築用パネルの一例）
１３    床面材（面材の一例）
２０    桁側壁パネル（垂直に設置される建築用パネルの一例）
２３    内壁面材（面材の一例）
２４    外壁面材（面材の一例）
３０    妻側壁パネル（垂直に設置される建築用パネルの一例）
３４    内壁面材（面材の一例）
３５    外壁面材（面材の一例）
４０    天井パネル（水平に設置される建築用パネルの一例）
４３    天井面材（面材の一例）
１１，２１，３１，４１            Ｚ形鋼
１１ａ，２１ａ，３１ａ，４１ａ    上側フランジ部
１１ｂ，２１ｂ，３１ｂ，４１ｂ    ウェブ部
１１ｃ，２１ｃ，３１ｃ，４１ｃ    下側フランジ部
【図１】
2019127771.tif 000003
【図２】
2019127771.tif 000004
【図３】
2019127771.tif 000005
【図４】
2019127771.tif 000006
【図５】
2019127771.tif 000007
【図６】
2019127771.tif 000008
【図７】
2019127771.tif 000009
【図８】
2019127771.tif 000010
【図９】
2019127771.tif 000011
【図１０】
2019127771.tif 000012
【図１１】
2019127771.tif 000013
【図１２】
2019127771.tif 000014
【図１３】
2019127771.tif 000015
【図１４】
2019127771.tif 000016
【図１５】
2019127771.tif 000017